(57)【特許請求の範囲】
【請求項１】
ジフェニルエーテルを含む熱媒体と、次式（１）で表されるシランカップリング剤とを含むことを特徴とする太陽熱発電システム用熱媒体組成物。
【化１】
0006043870.tif 000020
（式中、ＯＲ１，ＯＲ２，ＯＲ３は同一又はそれぞれ異なってもよい炭素数１〜５のアルコキシル基であり、Ｘはビニル基、アリル基、３−グリシドキシプロピル基、３−メタクリロキシプロピル基、３−アミノプロピル基、Ｎ−フェニル−３−アミノプロピル基、Ｎ−２（アミノエチル）３−アミノプロピル基からなる群から選択される１つの基である。）
【請求項２】
ジフェニルエーテルを含む熱媒体１００質量部に対し、前記シランカップリング剤０．１〜１０質量部を含むことを特徴とする請求項１に記載の太陽熱発電システム用熱媒体組成物。
【請求項３】
前記熱媒体は、ジフェニルエーテル−ビフェニル混合物であることを特徴とする請求項１又は２に記載の太陽熱発電システム用熱媒体組成物。
【請求項４】
次式（１）で表されるシランカップリング剤からなり、ジフェニルエーテルを含む熱媒体を流通させるパイプを保護するためのパイプ保護剤。
【化２】
0006043870.tif 000021
（式中、ＯＲ１，ＯＲ２，ＯＲ３は同一又はそれぞれ異なってもよい炭素数１〜５のアルコキシル基であり、Ｘはビニル基、アリル基、３−グリシドキシプロピル基、３−メタクリロキシプロピル基、３−アミノプロピル基、Ｎ−フェニル−３−アミノプロピル基、Ｎ−２（アミノエチル）３−アミノプロピル基からなる群から選択される１つの基である。）
【発明の詳細な説明】
【技術分野】
【０００１】
本発明は、太陽熱発電システムに用いられる熱媒体組成物に関し、該熱媒体がパイプ内で分解することがなく、パイプの劣化を防止することが可能な太陽熱発電システム用熱媒体組成物に関する。
【背景技術】
【０００２】
太陽熱発電（ＣＳＰ）システムは、太陽光を集め、熱媒体を加熱してタービンを駆動させて電力を得る発電方式である。この太陽熱発電システムの一例として、太陽光を受ける凹面鏡とその焦点部に設置された熱媒体を流通させるパイプとを備えた集光モジュールを用い、前記パイプに熱媒体を流して加熱し、この熱媒体を発電用タービンに導き、その熱エネルギーを利用してタービンを駆動させて発電するとともに、冷却された熱媒体をパイプに循環供給する構成の発電システムが知られている（例えば、特許文献１参照。）。
【０００３】
前記太陽熱発電システムに使用される熱媒体としては、ジフェニルエーテル、ジフェニルエーテル・ビフェニル混合物、ポリフェニルエーテル組成物（例えば、特許文献２〜６参照。）などが知られている。
【先行技術文献】
【特許文献】
【０００４】
【特許文献１】米国特許出願公開第２０１０／０２５２０３０号明細書
【特許文献２】米国特許第３２３１４９７号明細書
【特許文献３】米国特許第３２３１４９７号明細書
【特許文献４】米国特許第３２３１４９７号明細書
【特許文献５】米国特許第３２３１４９７号明細書
【特許文献６】米国特許第３２３１４９７号明細書
【発明の概要】
【０００５】
しかしながら、ジフェニルエーテルを含む熱媒体を用いた太陽熱発電システムにあっては、熱媒体流通用のパイプ内で、パイプ内表面に露出した金属が触媒となり、ジフェニルエーテルが反応して反応生成物と水素ガスとを生じ、熱輸送流体が劣化したり、水素脆化によってパイプの強度が劣化する問題がある。
【０００６】
図１は、パイプ１内で熱媒体２中に含まれるジフェニルエーテル（Ａ）が、パイプ１内表面に露出した金属と接触することにより脱水素反応し、反応生成物（Ｂ）と水素ガス（Ｈ２）を生じた状態を示す図である。
図示のように熱媒体２から水素ガスが生じると、この水素ガスによってパイプ１が水素脆化を起こし、強度低下や破損の原因となる可能性がある。また、この反応によって生じた水素ガスや反応生成物によって熱媒体が劣化し、熱媒体による熱輸送効率が悪くなるおそれがある。
【０００７】
本発明は、前記事情に鑑みてなされ、熱媒体がパイプ内で分解することがなく、パイプの劣化を防止することが可能な太陽熱発電システム用熱媒体組成物の提供を課題とする。
【０００８】
前記課題を達成するため、本発明は、ジフェニルエーテルを含む熱媒体と、次式（１）で表されるシランカップリング剤とを含むことを特徴とする太陽熱発電システム用熱媒体組成物を提供する。
【０００９】
【化１】
0006043870.tif 000002
（式中、ＯＲ１，ＯＲ２，ＯＲ３は同一又はそれぞれ異なってもよい炭素数１〜５のアルコキシル基であり、Ｘはビニル基、アリル基、３−グリシドキシプロピル基、３−メタクリロキシプロピル基、３−アミノプロピル基、Ｎ−フェニル−３−アミノプロピル、Ｎ−２（アミノエチル）３−アミノプロピル基からなる群から選択される１つの基である。）
【００１０】
本発明の太陽熱発電システム用熱媒体組成物において、ジフェニルエーテルを含む熱媒体１００質量部に対し、前記シランカップリング剤０．１〜１０質量部を含むことが好ましい。
【００１１】
本発明の太陽熱発電システム用熱媒体組成物において、前記熱媒体は、ジフェニルエーテル−ビフェニル混合物であることが好ましい。
【００１２】
また本発明は、次式（１）で表されるシランカップリング剤からなり、ジフェニルエーテルを含む熱媒体を流通させるパイプを保護するためのパイプ保護剤を提供する。
【００１３】
【化２】
0006043870.tif 000003
（式中、ＯＲ１，ＯＲ２，ＯＲ３は同一又はそれぞれ異なってもよい炭素数１〜５のアルコキシル基であり、Ｘはビニル基、アリル基、３−グリシドキシプロピル基、３−メタクリロキシプロピル基、３−アミノプロピル基、Ｎ−フェニル−３−アミノプロピル基、Ｎ−２（アミノエチル）３−アミノプロピル基からなる群から選択される１つの基である。）
【００１４】
本発明の太陽熱発電システム用熱媒体組成物は、シランカップリング剤がパイプ内表面に被膜を形成し、ジフェニルエーテルを含む熱媒体がパイプ内で分解することがなく、パイプの劣化を防止することができ、太陽熱発電システムの耐久性を高めることができる。
【図面の簡単な説明】
【００１５】
【図１】パイプ内で熱媒体中に含まれるジフェニルエーテルが反応し、反応生成物（と水素ガスを生じた状態を示す模式図である。
【図２】パイプ内表面に生じた被膜によってジフェニルエーテルの反応が防がれた状態を示す模式図である。
【図３】実施例７〜９及び比較例５の熱媒体組成物のガスクロマトグラフィー分析結果を示すグラフである。
【発明を実施するための形態】
【００１６】
本発明の太陽熱発電システム用熱媒体組成物は、ジフェニルエーテルを含む熱媒体と、次式（１）で表されるシランカップリング剤とを含むことを特徴としている。
【００１７】
【化３】
0006043870.tif 000004
（式中、ＯＲ１，ＯＲ２，ＯＲ３は同一又はそれぞれ異なってもよい炭素数１〜５のアルコキシル基であり、Ｘはビニル基、アリル基、３−グリシドキシプロピル基、３−メタクリロキシプロピル基、３−アミノプロピル基、Ｎ−フェニル−３−アミノプロピル基、Ｎ−２（アミノエチル）３−アミノプロピル基からなる群から選択される１つの基である。）
【００１８】
前記シランカップリング剤において、ＯＲ１，ＯＲ２，ＯＲ３は、アルコキシル基であればよく、特に限定されないが、メトキシ基またはエトキシ基であることが好ましい。
前記シランカップリング剤としては、１種を用いてもよいし、２種以上を用いてもよい。
本発明において、式（１）で表されるシランカップリング剤であってＸがビニル基、３−グリシドキシプロピル基及びＮ−フェニル−３−アミノプロピル基から選ばれる基であるものが好ましく、式（１）で表されるシランカップリング剤であってＸがビニル基であるものと式（１）で表されるシランカップリング剤であってＸが３−グリシドキシプロピル基であるものとの混合物がより好ましい。
【００１９】
本発明の太陽熱発電システム用熱媒体組成物において、前記シランカップリング剤の含有量は特に限定されないが、シランカップリング剤によるパイプの保護効果が十分に得られ、かつ熱媒体の粘度を低くするために、ジフェニルエーテルを含む熱媒体１００質量部に対し、シランカップリング剤０．０１〜１０質量部の範囲とすることが好ましく、０．０１〜５質量部の範囲とすることがより好ましい。
【００２０】
本発明の太陽熱発電システム用熱媒体組成物において、熱媒体としては、ジフェニルエーテル単独の熱媒体、ジフェニルエーテルと他の成分との混合物からなる熱媒体を用いることができる。ジフェニルエーテルと混合可能な他の成分としては、ビフェニル、ビフェニル誘導体、ポリフェニルエーテルなどが挙げられ、それらの中でもジフェニルエーテル−ビフェニル混合物が好ましい。ジフェニルエーテル−ビフェニル混合物を用いる場合、混合物中のビフェニル含有量は、１０〜４０質量％の範囲とすることが好ましい。
【００２１】
本発明の太陽熱発電システム用熱媒体組成物は、必須成分である熱媒体と前記シランカップリング剤以外に、熱媒体に添加される周知の添加物を必要に応じて１種以上添加してもよい。
【００２２】
図２は、本発明による太陽熱発電システム用熱媒体組成物を用いた場合に、パイプ１内壁に生じた被膜３によってジフェニルエーテル（Ａ）の反応を防いでいる状態を示す図である。
パイプ１内に本発明の太陽熱発電システム用熱媒体組成物２を流すと、パイプ１内壁にシランカップリング剤の被膜３が形成され、この被膜３によって熱媒体組成物２中のジフェニルエーテル（Ａ）がパイプ１内壁の金属露出面に接触することが防がれ、金属との接触によるジフェニルエーテル（Ａ）の反応とそれに伴う水素ガス発生が防止される。
【００２３】
本発明の太陽熱発電システム用熱媒体組成物は、ジフェニルエーテルを含む熱媒体がパイプ内で分解することがなく、パイプの劣化を防止することができ、太陽熱発電システムの耐久性を高めることができる。
【００２４】
また本発明は、次式（１）で表されるシランカップリング剤からなり、ジフェニルエーテルを含む熱媒体を流通させるパイプを保護するためのパイプ保護剤を提供する。
【００２５】
【化４】
0006043870.tif 000005
（式中、ＯＲ１，ＯＲ２，ＯＲ３は同一又はそれぞれ異なってもよい炭素数１〜５のアルコキシル基であり、Ｘはビニル基、アリル基、３−グリシドキシプロピル基、３−メタクリロキシプロピル基、３−アミノプロピル基、Ｎ−フェニル−３−アミノプロピル基、Ｎ−２（アミノエチル）３−アミノプロピル基からなる群から選択される１つの基である。）
【００２６】
このパイプ保護剤は、前述した太陽熱発電システム用熱媒体組成物のように、熱媒体中に添加することによって、パイプ内表面に被膜を形成せしめ、ジフェニルエーテルを含む熱媒体がパイプ内で分解することを防止し、パイプの劣化を防止するために使用することができる。さらに、このパイプ保護剤は、単独で、或いはジフェニルエーテルを含む熱媒体以外の適当な溶媒に添加した状態でパイプ内表面に接触させることによって、該パイプ内表面に被膜を形成し、このように被膜を形成したパイプを太陽熱発電システムのパイプとして使用するためのパイプ保護剤として使用することもできる。
【実施例】
【００２７】
以下、実施例により本発明をより具体的に説明するが、本発明は以下の実施例に限定されるものではない。
【００２８】
［実施例１］
シランカップリング剤として次式（２）
【００２９】
【化５】
0006043870.tif 000006
【００３０】
で表される３−グリシドキシプロピルトリメトキシシラン（信越化学工業社製、商品名「ＫＢＭ−４０３」）を、ステンレス鋼（ＳＵＳ３０４）板の表面に塗布し、１２０℃に加熱し反応させた後、アセトンで洗浄し、乾燥させ、前記シランカップリング剤塗布部分にジフェニルエーテルを滴下し、協和界面科学社製の接触角測定器を用いて接触角を測定した。その結果を表１に記す。
【００３１】
［実施例２］
シランカップリング剤として次式（３）
【００３２】
【化６】
0006043870.tif 000007
【００３３】
で表される３−メタクリロキシプロピルトリメトキシシラン（信越化学工業社製、商品名「ＫＢＭ−５０３」）を用い、それ以外は実施例１と同様にして、接触角を測定した。その結果を表１に記す。
【００３４】
［実施例３］
シランカップリング剤として次式（４）
【００３５】
【化７】
0006043870.tif 000008
【００３６】
で表される３−アミノプロピルトリメトキシシラン（信越化学工業社製、商品名「ＫＢＭ−９０３」）を用い、それ以外は実施例１と同様にして、接触角を測定した。その結果を表１に記す。
【００３７】
［実施例４］
シランカップリング剤として次式（５）
【００３８】
【化８】
0006043870.tif 000009
【００３９】
で表されるＮ−フェニル−３−アミノプロピルトリメトキシシラン（信越化学工業社製、商品名「ＫＢＭ−５７３」）を用い、それ以外は実施例１と同様にして、接触角を測定した。その結果を表１に記す。
【００４０】
［実施例５］
シランカップリング剤として次式（６）
【００４１】
【化９】
0006043870.tif 000010
【００４２】
で表される３−メタクリロキシプロピルトリエトキシシラン（信越化学工業社製、商品名「ＫＢＥ−５０３」）を用い、それ以外は実施例１と同様にして、接触角を測定した。その結果を表１に記す。
【００４３】
［実施例６］
シランカップリング剤として次式（７）
【００４４】
【化１０】
0006043870.tif 000011
【００４５】
で表されるＮ−２（アミノエチル）３−アミノプロピルトリメトキシシラン（信越化学工業社製、商品名「ＫＢＭ−５０３」）を用い、それ以外は実施例１と同様にして、接触角を測定した。その結果を表１に記す。
【００４６】
［比較例１］
シランカップリング剤を用いず、アセトン洗浄したステンレス鋼板の表面に直接ジフェニルエーテルを滴下し、接触角を測定した。その結果を表１に記す。
【００４７】
［比較例２］
シランカップリング剤として次式（８）
【００４８】
【化１１】
0006043870.tif 000012
【００４９】
で表される３−メタクリロキシプロピルメチルジメトキシシラン（信越化学工業社製、商品名「ＫＢＭ−５０２」）を用い、それ以外は実施例１と同様にして、接触角を測定した。その結果を表１に記す。
【００５０】
［比較例３］
シランカップリング剤として次式（９）
【００５１】
【化１２】
0006043870.tif 000013
【００５２】
で表される３−メタクリロキシプロピルメチルジエトキシシラン（信越化学工業社製、商品名「ＫＢＥ−５０２」）を用い、それ以外は実施例１と同様にして、接触角を測定した。その結果を表１に記す。
【００５３】
［比較例４］
シランカップリング剤として次式（１０）
【００５４】
【化１３】
0006043870.tif 000014
【００５５】
で表されるＮ−２（アミノエチル）３−アミノプロピルメチルジエトキシシラン（信越化学工業社製、商品名「ＫＢＭ−６０２」）を用い、それ以外は実施例１と同様にして、接触角を測定した。その結果を表１に記す。
【００５６】
【表１】
0006043870.tif 000015
【００５７】
表１の結果から、本発明に係る実施例１〜４のシランカップリング剤をステンレス鋼板に塗布した場合、シランカップリング剤を使用していない比較例１と比べて接触角が減少した。これは、被膜が形成されたことでジフェニルエーテルが金属表面に接触し難くなっていることを示している。
一方、アルコキシル基が２つである比較例２〜４のシランカップリング剤は、接触角が比較例１と同程度であった。
【００５８】
シランカップリング剤を用いて、熱媒油（組成：０．０２ｗｔ％−９．９８ｗｔ％のジフェニル−ジフェニルエーテル共結晶）を調製した。各サンプルをるつぼに滴下し、加熱炉で最大温度４００℃〜４５０℃まで約３０分加熱した。
【００５９】
熱安定性の検討の結果、比較により、分解は純粋な共結晶混合物（約３７０℃）より５℃高い約３７５℃から始まることが確認された。
【００６０】
［実施例７〜９、比較例５］
表２に示す成分を混合し、熱媒体組成物を得た。
【００６１】
【表２】
0006043870.tif 000016
【００６２】
表２中、各略号は以下の意味を有する。また、［  ］内の数値は各成分の量（モル％）を表す。
（２）：前記式（２）で表される３−グリシドキシプロピルトリメトキシシラン（商品名：ＫＢＭ−４０３、信越化学社製）。
（５）：前記式（５）で表されるＮ−フェニル−３−アミノプロピルトリメトキシシラン（商品名：ＫＢＭ−５７３、信越化学社製）。
（１１）：下記式（１１）で表されるビニルトリメトキシシラン（商品名：ＫＢＭ−１００３、信越化学社製）。
ＤＰＯ／ＢＰ：ジフェニルエーテルとビフェニルとの混合物（ビフェニル含有量：２７ｗｔ％）（ダウ社製）。
【００６３】
【化１４】
0006043870.tif 000017
【００６４】
［熱分解評価（１）］
実施例７〜９及び比較例５の各熱媒体組成物５０ｇを試料容器に入れた。次いで、試料容器をオーブンに入れ、４００℃又は４２５℃で２０日間加熱した。その後、熱媒体組成物についてガスクロマトグラフィー分析（液相分析）を行い、分解化学物質の量（ｗｔ％）を評価した。結果を図３に示す。
【００６５】
図３に示される結果より、４００℃で加熱後、実施例８及び比較例５の熱媒体組成物においては分解化学物質の量はほぼ同等であり、実施例７及び９の熱媒体組成物においては更に少なかった。４２５℃で加熱後、実施例７〜９の熱媒体組成物は、比較例５の熱媒体組成物と比べて分解化学物質の量が抑制されていた。特に、ビニル基を有するシランカップリング剤を含む実施例９の熱媒体組成物においては、４２５℃で加熱後の分解化学物質の量が、４００℃で加熱後の分解化学物質の量と比べてほとんど増えていなかった。
【００６６】
［実施例１０〜１３］
表３に示す成分を混合し、熱媒体組成物を得た。
【００６７】
【表３】
0006043870.tif 000018
【００６８】
表３中、各略号は前記で定義した通りである。また、［  ］内の数値は各成分の量（ｗｔ％）を表す。
【００６９】
［熱分解評価（２）］
実施例１０〜１３の各熱媒体組成物２０ｇをステンレススチール板（ＳＵＳ３０４）の表面上に塗布し、４００℃で３時間、初期圧力１０ｂａｒで加熱した。その後、熱媒体組成物についてガスクロマトグラフィー分析を行い、ジベンゾフラン濃度（ｐｐｍ）を評価した。結果を表３に示す。
【００７０】
表３に示される結果より、ビニル結合を０．２ｗｔ％含有するシランカップリング剤を含む実施例１１の熱媒体組成物は、ジベンゾフラン濃度を大幅に低減できることが確認された。また、ビニル基を有するシランカップリング剤と３−グリシドキシプロピル基を有するシランカップリング剤との組み合わせを用いることにより、ジベンゾフラン濃度を更に低減できることが確認された。
【００７１】
［膜形成評価（１）］
実施例１３の熱媒体組成物２０ｇをステンレススチール板（ＳＵＳ３０４）の表面上に塗布し、表４に示す温度で２時間、初期圧力１０ｂａｒで加熱した。その後、熱媒体組成物についてＸＰＳ分析を行い、形成された膜のＳｉ：Ｏ比及びＳｉ濃度を評価した。結果を表４に示す。
【００７２】
【表４】
0006043870.tif 000019
【００７３】
表４に示される結果より、確実に膜が形成できることが確認された。
【産業上の利用可能性】
【００７４】
本発明の太陽熱発電システム用熱媒体組成物は、太陽熱発電システム（ＣＳＰ）に用いられる熱媒体組成物に関し、該熱媒体がパイプ内で分解することがなく、パイプの劣化を防止することが可能な太陽熱発電システム用熱媒体組成物に関する。
【００７５】
以上、本発明の好ましい実施例を説明したが、本発明はこれら実施例に限定されることはない。本発明の趣旨を逸脱しない範囲で、構成の付加、省略、置換、およびその他の変更が可能である。本発明は前述した説明によって限定されることはなく、添付のクレームの範囲によってのみ限定される。
【符号の説明】
【００７６】
１…パイプ、２…熱媒体、３…被膜。
【図１】
0006043870.tif 000022
【図２】
0006043870.tif 000023
【図３】
0006043870.tif 000024